(57)【要約】【課題】  従来のネット袋を改良し、使い勝手を更に良くしたネット袋を提供する。【解決手段】  物品収納室(4)を挟んで配置された合成樹脂製の表裏ネットシート(2,3)により上部に開口部(8)を備えた袋体(1)を構成するネット袋である。表裏ネットシート(2,3)は、前記開口部(8)の開口縁(2a,3a)に沿って帯状の表裏ヘッダーシート(9,10)を重ね合わせて添設することにより、それぞれネットシートとヘッダーシートを重合した表裏の重合シート部を構成している。表裏の重合シート部は、開口形成縁により周縁を形成された互いに対向する一対の把手開口(13,14)を開設している。少なくとも一方の把手開口(14)は、周縁の上辺部(16)を残して開口形成縁を形成することにより、該開口形成縁に囲まれた重合シート部により形成されたフラップ(17)を、前記上辺部(16)を介して袋体(1)に連結すると共に折曲自在に構成する。【選択図】  図１
2007091284.tif 000002
【特許請求の範囲】
【請求項１】
物品収納室(4)を挟んで配置された合成樹脂製の表裏ネットシート(2,3)により上部に開口部(8)を備えた袋体(1)を構成するネット袋において、
前記開口部(8)の開口縁(2a,3a)に沿って表裏ネットシート(2,3)に帯状の表裏ヘッダーシート(9,10)を重ね合わせて添設することにより、それぞれネットシートとヘッダーシートを重合した表裏の重合シート部を構成し、
表裏の重合シート部に開口形成縁により周縁を形成された互いに対向する一対の把手開口(13,14)を開設しており、
少なくとも一方の把手開口(14)は、周縁の上辺部(16)を残して開口形成縁を形成することにより、該開口形成縁に囲まれた重合シート部により形成されたフラップ(17)を、前記上辺部(16)を介して袋体(1)に連結すると共に折曲自在に構成していることを特徴とするネット袋。
【請求項２】
一対の把手開口(13,14)のうち、一方の把手開口(14)には前記フラップ(17)を設けているが、他方の把手開口(13)には前記フラップを設けず該把手開口(13)の周縁の全周を開放しており、
一方の把手開口(14)に設けたフラップ(17)は、他方の把手開口(13)に挿通自在とされると共に、該フラップ(17)を他方の把手開口(13)の上縁部(13a)に重ねて上向きに折り曲げた状態で、該フラップ(17)と他方の把手開口(13)の上縁部(13a)の外側近傍部とを相互に接着自在とする接着手段(19)を設けていることを特徴とする請求項１記載のネット袋。
【請求項３】
一対の把手開口(13,14)のそれぞれにフラップ(17a,17b)を設けており、
両フラップ(17a,17b)を両把手開口の内側で上向きに折り曲げた状態で、両フラップ(17a,17b)を相互に接着自在とする接着手段(19)を設けていることを特徴とする請求項１記載のネット袋。
【請求項４】
表裏いずれか一方のヘッダーシート(10)に、袋体(1)の開口縁よりも上方に延びる粘着シート(20)を添設しており、表裏の重合シート部を合掌させた状態で、該粘着シート(20)を折り曲げることにより、該粘着シート(20)を他方のヘッダーシート(9)の外側面に接着するように構成していることを特徴とする請求項１記載のネット袋。
【請求項５】
表裏の重合シート部は、切断線(23)(23)により両側縁を切除されており、該切断線を介して表裏の重合シート部を相互に離反可能となるように構成したことを特徴とする請求項１乃至４のいずれかに記載のネット袋。
【請求項６】
表裏ネットシート(2,3)が袋体(1)の底部(5)において物品収納室(4)の内側に向けて断面山形状に折曲された底部ガゼット(6)を設けていることを特徴とする請求項１乃至５のいずれかに記載のネット袋。
【発明の詳細な説明】
【技術分野】
【０００１】
本発明は、各種の物品を収納できるようにしたネット袋に関する。
【背景技術】
【０００２】
従来、多数のモノフィラメント状の線条を交差して一体化せしめた伸縮自在な網目を有するネットチューブから成る筒状のネット袋が提供されている。即ち、ネットチューブを所定長さに寸断すると共に、一端を集束して溶着することにより底部を備えた筒袋を形成している。しかしながら、このような筒状のネット袋は、筒状であるため、野菜や果物、その他の物品を収納した状態で、全体が放射方向に膨らんで体裁が良くなく、しかも使い勝手が悪い。
【０００３】
そこで本発明者らは、袋体の表裏両面に合成樹脂製のネットシートを配置し、袋体の両側縁に沿って表裏ネットシートを溶着することによりサイドシール部を形成すると共に、全体をほぼ矩形としたネット袋をこれまでに種々提案している（例えば、特許文献１、２等）。これら全体をほぼ矩形としたネット袋は、物品収納状態において、筒状ネット袋のように放射方向に膨らむのではなく、袋体が表裏両面に膨らみ周縁を幾分かは歪ませるが、全体的には周縁を原形の矩形に近い形態に保持できるので、収納後の体裁が極めて良好である。
【０００４】
【特許文献１】特許第２９６４３３１号
【特許文献２】特開２０００−２５５５８８号公報
【発明の開示】
【発明が解決しようとする課題】
【０００５】
ところで、上述の矩形ネット袋は、玉葱等のように比較的重量のある物品を多数収納するための大型袋として構成する場合にはその持ち運びが不便である。即ち、従来の矩形ネット袋には、持ち運びのための把手構造が特に設けられていないため、重量のある物品を収納した場合にはその持ち運びに際してネット袋全体を別の袋に入れるなどして持ち運ばなければならないという不便がある。
【０００６】
そこで、袋体の開口縁に沿って表裏ネットシートのそれぞれにヘッダーシートを添設し、そのほぼ中央に貫通した吊下孔を持ち運びのための把手開口として利用すれば良いことが知見される。しかしながら、この場合、貫通形成された把手開口の周縁部に、ネットシートを切断することにより露出される線条先端が位置し、把手開口を握ったときにはその線条先端が手に直接当たり、持ち運び時に不快感を与える。
【０００７】
また上述の矩形ネット袋は、袋体の両側縁に位置して、底部から開口部の上端に至るまで表裏ネットシートを溶着したサイドシール部を形成しているため、ネット袋に対して物品を出し入れするため開口部を開放するに際し、開口縁の両端（サイドシール部）が固着されているので、表裏ネットシートの開口縁の離反間隔が規制されることになる。そのため、物品の出し入れを行い易くするためには、表裏ネットシートの開口縁をより大きく離反できるように構成することが好ましい。
【０００８】
本発明は、従来のネット袋の改良に係るものであり、上記課題を改善し、使い勝手を更に良くしたネット袋を提供することを目的とするものである。
【課題を解決するための手段】
【０００９】
上記目的を達成するため、本発明が解決手段として採用したところは、物品収納室(4)を挟んで配置された合成樹脂製の表裏ネットシート(2,3)により上部に開口部(8)を備えた袋体(1)を構成するネット袋において、前記開口部(8)の開口縁(2a,3a)に沿って表裏ネットシート(2,3)に帯状の表裏ヘッダーシート(9,10)を重ね合わせて添設することにより、それぞれネットシートとヘッダーシートを重合した表裏の重合シート部を構成し、表裏の重合シート部に開口形成縁により周縁を形成された互いに対向する一対の把手開口(13,14)を開設しており、少なくとも一方の把手開口(14)は、周縁の上辺部(16)を残して開口形成縁を形成することにより、該開口形成縁に囲まれた重合シート部により形成されたフラップ(17)を、前記上辺部(16)を介して袋体(1)に連結すると共に折曲自在に構成している点にある。
【００１０】
かかる構成によれば、一対の把手開口は互いに対向する位置に形成されているので、少なくとも一方の把手開口に残されたフラップを、他方の把手開口に挿通すると共に、他方の把手開口の上縁部に重ねて上向きに折り曲げることができる。したがって、一方のヘッダーシートとフラップとが、他方のヘッダーシートを挟み込み、一対のヘッダーシートを相互に重合せしめた状態で開口部を封止できるようになる。またその状態で把手開口を握ってネット袋を持ち運ぶ際には、フラップの折曲部が連通する一対の把手開口の上縁を覆うことになるので、表裏ネットシートの把手開口に臨む線条先端が手に直接当たることがなく、不快感を生じることなく持ち運びができるようになる。
【００１１】
また上記ネット袋は、一対の把手開口(13,14)のうち、一方の把手開口(14)には前記フラップ(17)を設けているが、他方の把手開口(13)には前記フラップを設けず該把手開口(13)の周縁の全周を開放しており、一方の把手開口(14)に設けたフラップ(17)は、他方の把手開口(13)に挿通自在とされると共に、該フラップ(17)を他方の把手開口(13)の上縁部(13a)に重ねて上向きに折り曲げた状態で、該フラップ(17)と他方の把手開口(13)の上縁部(13a)の外側近傍部とを相互に接着自在とする接着手段(19)を設けることが好ましい。このような構成態様とすれば、フラップをヘッダーシートに接着させることができるので、把手開口から手を放したとしても、一対のヘッダーシートを相互に重合せしめ、開口部を封止した状態を維持することができる。
【００１２】
また上記ネット袋は、一対の把手開口(13,14)のそれぞれにフラップ(17a,17b)を設けており、両フラップ(17a,17b)を両把手開口の内側で上向きに折り曲げた状態で、両フラップ(17a,17b)を相互に接着自在とする接着手段(19)を設けることが好ましい。この場合も、一対のフラップを互いに接着させておくことができるので、把手開口から手を放したとしても、一対のヘッダーシートを相互に重合せしめ、開口部を封止した状態を維持することができる。
【００１３】
また上記ネット袋は、表裏いずれか一方のヘッダーシート(10)に、袋体(1)の開口縁よりも上方に延びる粘着シート(20)を添設しており、表裏の重合シート部を合掌させた状態で、該粘着シート(20)を折り曲げることにより、該粘着シート(20)を他方のヘッダーシート(9)の外側面に接着するように構成することができる。この場合、袋体の開口部を広い範囲で封止でき、しかもその封止した状態を維持することができる。
【００１４】
また上記ネット袋は、表裏の重合シート部の両側縁を切断線(23)(23)により切除し、該切断線を介して表裏の重合シート部を相互に離反可能となるように構成することが好ましい。これにより、ネット袋の開口部において表裏ネットシートの上端縁を大きく離反できるようになり、物品を出し入れする際の作業性が良くなる。
【００１５】
更に上記ネット袋を構成する表裏ネットシート(2,3)は、袋体(1)の底部(5)において物品収納室(4)の内側に向けて断面山形状に折曲された底部ガゼット(6)を設けることが好ましい。この場合、ネット袋に物品を収納すると、底部ガゼットが広がることになる。そのため、その広がった底部ガゼット６を座として陳列棚等にネット袋を起立姿勢で載置できるようになり、体裁良く陳列できるようになる。
【発明の効果】
【００１６】
本発明に係るネット袋によれば、ネット袋を持ち運ぶための把手構造として、開口部(8)の開口縁(2a,3a)に沿って表裏ネットシート(2,3)に帯状の表裏ヘッダーシート(9,10)を重ね合わせて添設することにより、それぞれネットシートとヘッダーシートを重合した表裏の重合シート部を構成し、このような表裏の重合シート部に開口形成縁により周縁を形成された互いに対向する一対の把手開口(13,14)を開設しているので、ネット袋に比較的重量のある物品を収納した場合であってもその持ち運びが容易である。即ち、把手開口に手を挿入して把持した状態でネット袋を持ち運べるので、ネット袋を別の袋に入れる必要がなくなり、利便性が向上する。この際、本発明によれば、少なくとも一方の把手開口(14)は、周縁の上辺部(16)を残して開口形成縁を形成することにより、該開口形成縁に囲まれた重合シート部により形成されたフラップ(17)を、前記上辺部(16)を介して袋体(1)に連結すると共に折曲自在に構成している。このため、一方の把手開口(14)に設けられたフラップ(17)を、他方の把手開口(13)に挿通すると共に、他方の把手開口(13)の上縁部(13a)に重ねて上向きに折り曲げることができるので、把手(13)(14)の内周縁に臨むネットシートの線条先端が手に直接当たることがなく、不快感を生じることなく持ち運びができるようになる。したがって、本発明によれば、従来のネット袋よりも使い勝手が著しく向上したネット袋が実現される。
【発明を実施するための最良の形態】
【００１７】
以下図面に基づいて本発明に係るネット袋の好ましい実施形態を詳述する。
【００１８】
〔ネット袋の基本形態〕
図１は本発明に係るネット袋の一形態を示す図であり、（ａ）は開口部を開いた状態の斜視図、（ｂ）は開口部を閉じた状態の斜視図、（ｃ）は縦断面図である。図１に示すように、ネット袋は、物品収納室４を挟んで配置された合成樹脂製の表ネットシート２と裏ネットシート３により上部に開口部８を備えた袋体１を構成する。表裏ネットシート２、３のそれぞれは、断面をほぼ円形又は楕円形とした多数のモノフィラメント状の線条１２を交差して一体化せしめた伸縮自在な網目を備えたシートによって構成されている。図例の場合、袋体１の底部５は、ネットシート２、３を物品収納室４の内側に向けて断面山形に折曲した底部ガゼット６を形成しており、袋体１の両側部は、両側縁に沿って両ネットシート２、３を相互に溶着するサイドシール部７、７を設けている。この場合、サイドシール部７、７は、底部ガゼット６の両側縁の部分において、表ネットシート２と、裏ネットシート３と、その間で山形状に折り曲げられ重合されたネットシート部分の四者を一体的に溶着するのが好ましい。
【００１９】
図例の場合、袋体１は、一枚の表裏ネットシート２、３を底部５で折り曲げることにより形成されているが、別体の二枚の表裏ネットシート２、３を底部５で相互に溶着した構成としても良い。また、底部ガゼット６は、図例の場合、一枚の表裏ネットシート２、３を袋谷折状に内側に折り曲げた構成としているが、別体の二枚の表裏ネットシート２、３を袋体１の底部５で溶着する際に山形に折り曲げて底部ガゼット６を形成しても良い。
【００２０】
袋体１の上部において表裏ネットシート２、３の対向端縁は、相互に一直線に整合して揃えられた開口縁２ａ、３ａを備えており、これにより物品収納室４に対して物品を出し入れする際の開口部８を形成する。
【００２１】
表裏ネットシート２、３のそれぞれの外側表面には、開口縁２ａ、３ａに沿って合成樹脂又は合成紙から成る帯状のヘッダーシート９、１０が添設されており、ヘッダーシート９、１０は、袋体１のほぼ全幅に向けて延びるシール線９ａ、１０ａにより、それぞれ表裏ネットシート２、３に溶着されている。これにより、柔軟な表裏ネットシート２、３は、開口縁２ａ、３ａをヘッダーシート９、１０により保形される。そこで、重合一体化された表ネットシート２とヘッダーシート９により表側の重合シート部が構成され、重合一体化された裏ネットシート３とヘッダーシート１０により裏側の重合シート部が構成されている。尚、表裏ネットシート２、３の少なくとも一方のほぼ中央には物品収納室４に収納する物品のラベル等を付すためのラベル用シート１１が必要に応じて溶着される。
【００２２】
サイドシール部７、７は、ヘッダーシート９、１０の両側縁に延びる上部サイドシール部７ａ、７ａを形成している。上部サイドシール部７ａ、７ａを含むサイドシール部７、７は、通常の製袋方法におけるサイドシール工程と同様の方法で形成される。即ち、帯状に連続する表裏ネットシート２、３とヘッダーシート９、１０を重ね合わせた袋素材構成体を袋幅方向に移送し、移送方向に直交する溶断刃で袋幅寸法に応じて袋素材構成体を溶断することにより、袋素材構成体から一枚宛の袋体１を切り離すと同時に、該袋体１にサイドシール部を形成する。この際、通常の溶断刃を使用することにより、溶断と同時に溶着線によるサイドシール部を形成するようにしても良いが、例えば、溶断刃に隣接して加熱溶着体を設けた装置を使用することにより、溶断刃で溶断溶着するだけでなく、該溶断溶着線の内側において加熱溶着体を押圧することにより、１ｍｍ以上１０ｍｍ以下、好ましくは２ｍｍ以上５ｍｍ以下程度の所定寸法幅の加圧溶着線を設けるように構成することができる。
【００２３】
そこで、このような加熱溶着体を備えた溶断刃で上部サイドシール部７ａ、７ａを形成すると、上部サイドシール部７ａ、７ａは、表側の重合シート部を構成する表ネットシート２とヘッダーシート９と、裏側の重合シート部を構成する裏ネットシート３とヘッダーシート１０との四者を一体的に溶断溶着し、溶断溶着線の内側に所定寸法幅の加圧溶着線を形成する。加圧溶着線においては、表裏ネットシート２、３の網目を介して表裏ヘッダーシート９、１０が相互に溶着される。表側の重合シート部（表ネットシート２と表ヘッダーシート９）と、裏側の重合シート部（裏ネットシート３と裏ヘッダーシート１０）は、常時は、図１（ｂ）に示すように、相互に重合せしめた形態に保持されており開口部８を閉じているが、一対の開口縁を指先で離反せしめることにより、図１（ａ）に示すように、開口部８を開放せしめられる。このような開閉は、上部サイドシール部７ａ、７ａを支点として行われるが、上部サイドシール部７ａにおいて、前述のような四者一体的な溶着と加圧溶着線を形成すれば、開口部８の開閉動作の繰り返しに耐える強固な溶着状態が得られる。しかしながら、本発明がこのような溶着方法に限定されないことは勿論のことであり、表裏ネットシート２、３の二者、ヘッダーシート９、１０の二者だけを溶着するものでも良く、更には加熱溶着体を有しない溶断刃を使用することにより、加圧溶着線を形成せず、溶断溶着線だけを形成するものとしても良い。
同様に、前述のような加熱溶着体を備えた溶断刃でサイドシール部７、７を形成すれば、表裏ネットシート２、３は、溶断溶着線の内側において加熱溶着体により所定寸法幅の加圧溶着線を設けられる。この加圧溶着線の部分で、表裏ネットシート２、３は、線条１２を偏平状態となるように変形せしめ、相互に面的に溶着するように構成できるが、加熱溶着体の加圧力を加減することにより、相互に線条１２を断面円形のままで溶着するように構成しても良い。更には、加熱溶着体を有しない溶断刃によりサイドシール部７、７を形成しても良く、この場合、加圧溶着線は形成されず、溶断溶着線だけが形成される。
要するに、上部サイドシール部７ａ、７ａを含むサイドシール部７、７は、袋体１の両側縁を溶着したものであれば良いことを了解されたい。
【００２４】
表ネットシート２とヘッダーシート９が重合する表側の重合シート部には、シール線９ａ、９ａの間に把手開口１３が開設され、同様に、裏ネットシート３とヘッダーシート１０が重合する裏側の重合シート部には、シール線１０ａ、１０ａの間に位置して、前記把手開口１３に対向する把手開口１４が開設されている。これら一対の把手開口１３、１４は、物品収納室４に物品を収納した状態でネット袋を持ち運ぶ際、手先を挿入して把持するためのものであり、図例のように、袋対１の幅方向に長く延びる形状とされることが好ましい。把手開口１３、１４は、それぞれ表裏の重合シート部に形成された開口形成縁により周縁を形成されている。開口形成縁の形成方法は特に限定されるものではなく、トムソンのような切断刃により重合シート部を打ち抜くことにより形成しても良いが、溶断刃で重合シート部を溶断することにより形成するのが好ましく、この場合、把手開口１３、の周縁では、表ネットシート２と表ヘッダーシート９が相互に離反しないように溶着一体化され、把手開口１４の周縁では、裏ネットシート３と裏ヘッダーシート１０が相互に離反しないように溶着一体化されるので、握りやすい把手開口１３、１４を形成できる。
【００２５】
図２に示すように、一対の把手開口１３、１４のうち、少なくとも一方の把手開口は、周縁の上辺部１６を残して開口形成縁１５を形成することにより、該開口形成縁１５により囲まれた重合シート部によりフラップ１７が設けられる。したがって、フラップ１７は、上辺部１６により袋本体１に連結されると共に、上向きに折曲自在に構成されている。上述のように溶断により開口形成縁１５を形成するときは、フラップ１７を構成するヘッダーシート９（１０）とネットシート２（３）が相互に該フラップの周縁で溶着一体化されるので、該フラップ１７を上向きに折り曲げる際、該ヘッダーシートとネットシートが分離するようなことがなく、取り扱いやすいという利点がある。尚、フラップ１７は、一対の把手開口１３、１４の少なくとも一方の把手開口に設け、他方の把手開口にはそのようなフラップを設けずに該把手開口の周縁の全周を開放しても良いが、或いは、両方の把手開口１３、１４にフラップ７を設けても良い。
【００２６】
〔ヘッダー部分の第一実施形態〕
図３は、一対の把手開口１３、１４のうち一方の把手開口１４にフラップ１７を設けた第一実施形態を示している。したがって、他方の把手開口１４は、周縁の全周を開放している。この第１実施形態によれば、フラップ１７は、図３（ａ）のように、他方の把手開口１３に挿通自在であると共に、他方の把手開口１３の上縁部１３ａに重ねて上向きとなるように折曲自在とされている。その結果、図３（ｂ）に示すように、ヘッダーシート１０とフラップ１７がヘッダーシート９を挟み込むので、一対のヘッダーシート９、１０を相互に重合せしめた形態で開口部８を封止する。そして、この状態で、把手開口１３、１４を握ってネット袋を持ち運ぶ際に、フラップ７の折曲部１８が把手開口１３、１４の上縁を覆うので、表裏ネットシート２、３の溶断された線条先端が手に直接当たることがなく、不快感を生じることなく持ち運びができるようになる。
【００２７】
〔ヘッダー部分の第二実施形態〕
図４は、第二実施形態を示している。フラップ１７を一方の把手開口１４にのみ設けた点において図３に示した第一実施形態と同様であるが、フラップ１７とヘッダーシート９を互いに接着する接着手段１９を設けた点で異なり、その他の構成は第一実施形態と同様である。図４（ａ）に示す構成例では、上辺部１６を介して連結されたフラップ１７に接着手段１９を添設しており、接着手段１９はフラップ１７を上辺部１６に沿って折り曲げる前の状態で袋体１の内側に面する部分に設けられる。これに対して、図４（ｂ）に示す構成例では、全周を開放した把手開口１３の上方でヘッダーシート９の外側に接着手段１９が添設されている。このような接着手段１９は例えば粘着シート等によって構成され、図４（ａ）及び（ｂ）のいずれの態様であっても構わない。
【００２８】
この第二実施形態によれば、図４（ｃ）に示すように、フラップ１７を他方の把手開口１３に挿通し、該把手開口１３の上縁部１３ａに重ねて上向きとなるように折り曲げた状態でフラップ１７の折曲した内側とヘッダーシート９が互いに接着手段１９によって接着される。このように一方の把手開口１４に設けたフラップ１７を他方の把手開口１３の上縁部１３ａを覆うように折り曲げたとき、フラップ１７とヘッダーシート９が互いに接着手段１９で接着されるので、把手開口１３、１４から手を離しても、フラップ１７とヘッダーシート９が接着状態で保持され、一対のヘッダーシート９、１０を相互に重合せしめた形態で開口部８を封止しておくことができる。特に、上述した第一実施形態（図３の形態）では、折り曲げたフラップ１７をヘッダーシート９に接着するものではないので、折り曲げたフラップ１７が折り曲げ前の状態へと復帰していく場合には、開口部８が次第に開放されていく可能性があるが、本実施形態の場合には開口部８が次第に開放されていくことを良好に防止できるという利点がある。
【００２９】
また、ネット袋を図４（ｃ）の状態として、把手開口１３、１４を握ってネット袋を持ち運ぶ際には、ヘッダーシート１０の折曲部１８が連通する把手開口１３、１４の上縁に位置することになり、表裏ネットシート２、３の溶断された線条先端が手に直接当たることがなく、不快感を生じることなく持ち運びができる。
【００３０】
〔ヘッダー部分の第三実施形態〕
図５は、一対の把手開口１３、１４の両方にフラップ１７ａ、１７ｂを設けた第三実施形態を示している。尚、その他の構成は上述した第一実施形態と同様である。
【００３１】
一対のフラップ１７ａ、１７ｂのうち、一方のフラップ１７ａは、該フラップが設けられた把手開口１３から上辺部１６を介して外側で上向きに折曲自在であり、他方のフラップ１７ｂは、前記把手開口１３に挿通し、前記フラップ１７ａに重ねて上向きとなるように折曲自在とされている。このとき、一対の把手開口１３、１４は互いに対向する位置に形成されているので、他方のフラップ１７ｂを一方のフラップ１７ａに重ねた状態で、一挙に折り曲げることができる。その結果、図５（ｂ）に示すように、裏側のヘッダーシート１０とフラップ１７ｂが、表側のヘッダーシート９とフラップ１７ａを挟み込むので、一対のヘッダーシート９、１０を相互に重合せしめた形態で開口部８を封止することができる。またこの状態で把手開口１３、１４を握ってネット袋を持ち運ぶ際には、ヘッダーシート１０の折曲部１８が把手開口１３、１４の上縁を覆うので、表裏ネットシート２、３の溶断された線条先端が手に直接当たることがなく、不快感を生じることなく持ち運びができるようになる。
【００３２】
〔ヘッダー部分の第四実施形態〕
図６は、第四実施形態を示しており、一対の把手開口１３、１４の両方にフラップ１７ａ、１７ｂを設けた点において上述の第三実施形態と同様であるが、表裏両側に設けられた一対のフラップ１７、１７を互いに接着させる接着手段１９を設けると共に、双方のフラップ１７、１７を互いに袋体１の内側に向けて折り曲げる点で相違する。
【００３３】
図６（ａ）に示す構成例では、一方のフラップ１７ａに接着手段１９を添設しているが、他方のフラップ１７ｂに接着手段１９を設けても良い。即ち、本実施形態では各フラップ１７ａ、１７ｂが折り曲げられる前の少なくとも一方のフラップの外側に接着手段１９を設けておけば良い。そして各フラップ１７ａ、１７ｂを開口部８の内側に向けて折り曲げることにより、把手開口１３、１４が形成される。このとき、各フラップ１７ａ、１７ｂは接着手段１９によって互いに接着される。
【００３４】
このように各フラップ１７ａ、１７ｂを開口部８の内側に折り曲げたときに、一対のフラップ１７ａ、１７ｂを互いに接着させる接着手段１９を設けることにより、把手開口１３、１４から手を離しても、一対のヘッダーシート９、１０は互いに接着した状態を維持し、開口部８を封止しておくことができる。特に、上述した第三実施形態（図５の形態）では、折り曲げたフラップ１７ａ、１７ｂを互いに接着するものではないので、折り曲げた各フラップ１７ａ、１７ｂが折り曲げ前の状態へと復帰していく場合には、開口部８が次第に開放されていく可能性があるが、本実施形態の場合には開口部８が次第に開放されていくことを良好に防止できるという利点がある。尚、本実施形態でも接着手段１９は粘着シート等によって構成することができる。
【００３５】
また本実施形態でもネット袋を図６（ｂ）の状態として、把手開口１３、１４を握ってネット袋を持ち運ぶ際には、ヘッダーシート９、１０の各折曲部１８、１８が把手開口１３、１４の上縁を覆うので、表裏ネットシート２、３の溶断された線条先端が手に直接当たることがなく、不快感を生じることなく持ち運びができる。
【００３６】
〔ヘッダー部分の第五実施形態〕
図７は、第五実施形態を示しており、一対のヘッダーシート９、１０を互いに接着することにより開口部８を封止する粘着シート２０を設けている。
【００３７】
図７（ａ）及び図８に示すように、一方のヘッダーシート１０には、袋体１の開口縁２ａ、３ａよりも上方に延びる帯状の粘着シート２０が添設されている。粘着シート２０の粘着面２１には剥離シート２２が設けられる。そして袋体１の開口部８を封止する際には、図７（ｂ）の如く剥離シート２２を剥がした後、図７（ｃ）の如く粘着シート２０を開口縁２ａ、３ａに沿って折り曲げることにより、粘着面２１を他方のヘッダーシート９に貼着させる。この際、図８のように粘着シート２０を袋体１のほぼ全幅に設けておけば、開口部８をほぼ完全に封止できる。したがって、把手開口１３、１４に設けられたフラップ１７ａ、１７ｂによって開口部８を封止するだけでなく、幅の広い範囲で開口部８を封止できるという利点がある。
【００３８】
尚、図例では、裏側のヘッダーシート１０に粘着シート２０を添設しているが、表裏いずれか一方のヘッダーシートに粘着シート２０を添設したものであれば良い。また図例では表裏双方の把手開口１３、１４にフラップ１７、１７を設けた場合を例示しているが、図３に例示したようにいずれか一方の把手開口のみにフラップ１７を設けたものであってもよい。
【００３９】
〔ヘッダー部分の第六実施形態〕
図９は、第六実施形態を示しており、表側の重合シート部（表ネットシート２及び表ヘッダーシート９）と、裏側の重合シート部（裏ネットシート３と裏ヘッダーシート１０）は、切断線２３、２３により両側縁を切除されている。即ち、表裏の重合シート部が溶着されたサイドシール部７ａ、７ａは、切断線２３、２３により切除され、これにより表裏の重合シート部を相互に離反可能に構成している。尚、図例では切断線２３をほぼ直線状としているが、それに限定されるものではなく、曲線状としても良い。
【００４０】
したがって、一対のヘッダーシート９、１０の上端部９ｂ、１０ｂはその両側縁において互いに分離し離反自在とされるので、従来のように袋体の両側縁において開口部の上端に至るまで表裏ネットシートを溶着してサイドシール部を形成した場合と比較すると、物品を出し入れする際にヘッダーシート９、１０の上端部９ｂ、１０ｂの離反間隔を大きくすることができる。そのため、物品収納室４に対する物品の出し入れが行い易くなり、ネット袋の使い勝手が向上する。
【００４１】
〔底部ガゼットの形成方法〕
次に、ネット袋の底部ガゼット６の形成方法について説明する。図１０は、幅広の二枚のネットシート３０、３１から、一対の袋体１、１を形成する場合を例示している。この場合、まず図１０（ａ）に示す如く、二枚のネットシート３０、３１は、ネット袋を構成する表面側と裏面側にそれぞれ整合して配置され、幅方向のほぼ中央には一対の袋体１、１のヘッダーシート９、１０を構成することになる幅広のシート材３２、３３がそれぞれに添設される。二枚のネットシート３０、３１の互いに対向する端部３０ａ、３１ａを、互いに溶着することにより、ネットシート３０、３１の両端に溶着部３４、３４を形成する（図１０（ｂ））。そして両端の溶着部３４、３４を内側に向けて山形に折曲させ、ネット袋の底部ガゼット６を形成する（図１０（ｃ））。その後、表裏それぞれに添設されたシート材３２、３３のほぼ中央を切断線Ｙに沿って切断することにより、一対の袋体１、１を構成する。そして各袋体１、１に対応して、サイドシール部７、７及び上部サイドシール部７ａ、７ａを形成することにより、ネット袋が完成する。尚、上述の把手開口１３、１４は、図１０（ａ）〜（ｄ）のいずれの段階においても形成することができる。
【００４２】
次に、図１１は一対の表裏ネットシート２、３から、袋体１を一個ずつ形成する場合を例示している。この場合、まず図１１（ａ）に示す如く、二枚のネットシート２、３は、ネット袋を構成する表面側と裏面側にそれぞれ整合して配置され、幅方向の一端側には一対のヘッダーシート９、１０が添設される。そして二枚のネットシート２、３の互いに対向する他端側の端部２ｃ、３ｃを、互いに溶着することにより、袋体１の底部となる部分に溶着部３４を形成する（図１１（ｂ））。そして溶着部３４を内側に向けて山形に折曲させ、ネット袋の底部ガゼット６を形成することにより、袋体１を構成する（図１１（ｃ））。その後、袋体１に対してサイドシール部７、７及び上部サイドシール部７ａ、７ａを形成することにより、ネット袋を完成する。尚、この場合でも上述した把手開口１３、１４は、図１１（ａ）〜（ｃ）のいずれの段階においても形成することができる。
【００４３】
次に、図１２は筒状のネットチューブ３５から、一対の袋体１、１を形成する場合を例示している。図１２（ａ）に示す如く、ネットチューブ３５はその両端に折曲部３６、３６が形成され、全体としてほぼフラットな偏平状態とされており、幅方向のほぼ中央には一対の袋体１、１のヘッダーシート９、１０を構成することになる幅広のシート材３２、３３が表裏それぞれに添設される。そして両端の折曲部３６、３６を内側に向けて山形に折曲させ、ネット袋の底部ガゼット６を形成する（図１２（ｂ））。その後、表裏それぞれに添設されたシート材３２、３３のほぼ中央を切断線Ｙに沿って切断することにより、一対の袋体１、１を構成する。そして各袋体１、１についてサイドシール部７、７及び上部サイドシール部７ａ、７ａを形成していくことにより、ネット袋が完成する。尚、この場合でも上述した把手開口１３、１４は、図１２（ａ）〜（ｃ）のいずれの段階においても形成することができる。
【００４４】
上記のようにして、袋体１の底部５に、表裏ネットシート２、３が物品収納室４の内側に向けて山形状に折曲された底部ガゼット６を構成しておけば、物品収納室４に物品を収納した場合に底部ガゼット６が広がり、その広げられた底部ガゼット６を座として陳列棚等にネット袋を起立姿勢で載置できるようになる。したがって、物品を収納した複数のネット袋を陳列棚等に載置する場合には、体裁良く陳列できるようになる。
【図面の簡単な説明】
【００４５】
【図１】本発明に係るネット袋の一形態を示す図であり、（ａ）は開口部を開いた状態の斜視図、（ｂ）は開口部を閉じた状態の斜視図、（ｃ）は縦断面図である。
【図２】ヘッダーシートが添設された袋体のヘッダー部分における把手開口の形成形態を示す拡大図である。
【図３】ネット袋の把手開口が設けられたヘッダー部分の第一実施形態を示す拡大図であり、（ａ）及び（ｂ）のいずれも縦断面を示している。
【図４】ネット袋の把手開口が設けられたヘッダー部分の第二実施形態を示す拡大図であり、（ａ）、（ｂ）及び（ｃ）のいずれも縦断面を示している。
【図５】ネット袋の把手開口が設けられたヘッダー部分の第三実施形態を示す拡大図であり、（ａ）及び（ｂ）のいずれも縦断面を示している。
【図６】ネット袋の把手開口が設けられたヘッダー部分の第四実施形態を示す拡大図であり、（ａ）及び（ｂ）のいずれも縦断面を示している。
【図７】ネット袋の把手開口が設けられたヘッダー部分の第五実施形態を示す拡大図であり、（ａ）、（ｂ）及び（ｃ）のいずれも縦断面を示している。
【図８】第五実施形態におけるネット袋の斜視図である。
【図９】ネット袋の把手開口が設けられたヘッダー部分の第六実施形態を示す図であり、（ａ）はネット袋の開口部を開放した状態の斜視図、（ｂ）はネット袋の正面図である。
【図１０】幅広の二枚のネットシートから一対の袋体を形成するに際し、底部に底部ガゼットを形成する場合を例示する図である。
【図１１】一対の表裏ネットシートから一個の袋体を形成するに際し、底部に底部ガゼットを形成する場合を例示する図である。
【図１２】筒状のネットチューブから一対の袋体を形成するに際し、底部に底部ガゼットを形成する場合を例示する図である。
【符号の説明】
【００４６】
１  袋体
２  表ネットシート
３  裏ネットシート
４  物品収納室
５  底部
６  底部ガゼット
７  サイドシール部
７ａ  上部サイドシール部
８  開口部
９、１０  ヘッダーシート
１３、１４  把手開口
１６ 上辺部
１７  フラップ
２０  粘着シート
【図１】
2007091284.tif 000003
【図２】
2007091284.tif 000004
【図３】
2007091284.tif 000005
【図４】
2007091284.tif 000006
【図５】
2007091284.tif 000007
【図６】
2007091284.tif 000008
【図７】
2007091284.tif 000009
【図８】
2007091284.tif 000010
【図９】
2007091284.tif 000011
【図１０】
2007091284.tif 000012
【図１１】
2007091284.tif 000013
【図１２】
2007091284.tif 000014